(57)【要約】【課題】必要に応じた濃さの塗布液を塗布できるようにする。【解決手段】ブラシ毛材４を構成する糸４Ａをそれぞれランダムな方向に突出するように変形させたことにより、ブラシ本体５によって塗布対象毛に対して塗布操作したときブラシ毛材４の一部の糸４Ａが液を塗布した後、当該塗布された液を他の糸４Ａが拭き取るような動作をさせないようにでき、これにより塗布対象毛に対して塗布液を必要な濃さで平均平滑的に一様に塗布することができる。【選択図】図１
2009201818.tif 000002
【特許請求の範囲】
【請求項１】
シャフトを構成する２本の線材を互いにねじり合わせることにより当該２本の線材の間にブラシ毛材を構成する多数の糸を保持したブラシ本体を有する液塗布具であって、
上記ブラシ毛材を構成する上記各糸をそれぞれランダムな方向に突出するように変形させた
ことを特徴とする液塗布具。
【発明の詳細な説明】
【技術分野】
【０００１】
本発明は液塗布具に関し、特にマスカラブラシや毛染め用ブラシのような塗布対象毛にマスカラや毛染め液等の塗布液を塗布する場合に適用して好適なものである。
【背景技術】
【０００２】
従来この種の液塗布具、例えばマスカラブラシとして、塗布液をブラシに付着させたマスカラをまつ毛に塗布するものが用いられている（特許文献１参照）。
【０００３】
このマスカラブラシとしての液塗布具は、図４において符号Ｒ１で示すように、塗布液容器Ｒ２の取出口Ｒ３から、キャップＲ４に固着されたシャフトＲ５の先端に設けられたブラシ本体Ｒ６を出し入れすることにより、ブラシ本体Ｒ６を塗布液としてのマスカラに浸して外部に取り出すようになされている。
【０００４】
取出口Ｒ３の内側には柔軟性をもったゴム材でなる円環状のしごき部材Ｒ７が設けられ、ブラシ本体Ｒ６を取出口Ｒ３から引き抜くとき、ブラシ本体Ｒ６の周囲に付着している余分な塗布液を小さい内径を有するしごき部材Ｒ７によってしごき落とすことにより、外部に取り出したブラシ本体Ｒ６やシャフトＲ７から塗布液をぼた落ちさせないように構成されている。
【特許文献１】特開平５−２２８０１８号公報
【発明の開示】
【発明が解決しようとする課題】
【０００５】
図４の構成によれば、しごき部材Ｒ７としてブラシ本体Ｒ６を塗布液容器Ｒ２から引き抜いたとき、シャフトＲ５に植毛されたブラシ毛材Ｒ６Ａがしごき部材Ｒ７によって引き抜き方向と逆方向に押し付けられることによりその方向に一斉に倒れるような動作をし、これによりブラシ本体６の周囲に付着した余分な塗布液がしごき落とされるので、塗布液のぼた落ちを防止することができる。
【０００６】
このようにブラシ毛材Ｒ６Ａは、しごき部材Ｒ７を通るとき一旦一斉に倒れるが、しごき部材Ｒ６を通過した後はその復元力によって起立するので、塗布液は当該起立したブラシ毛材Ｒ６Ａの表面に付着したまま残る。
【０００７】
しかしながら、このブラシ毛材Ｒ６Ａの表面に付着した塗布液は比較的少量なので、これをまつ毛に塗布する際には、無駄なくまつ毛に塗り付けることができるようにすることが望ましい。
【０００８】
本発明は以上の点を考慮してなされたもので、ブラシ毛材に付着した塗布液を無駄なく塗布液対象毛に塗りつけることができるようにしたブラシ構成の液塗布具を提案しようとするものである。
【課題を解決するための手段】
【０００９】
かかる課題を解決するため本発明においては、シャフト３を構成する２本の線材１１Ａ、１１Ｂを互いにねじり合わせることにより当該２本の線材１１Ａ、１１Ｂの間にブラシ毛材４を構成する多数の糸を保持したブラシ本体５を有する液塗布具１であって、ブラシ毛材４を構成する糸をそれぞれランダムな方向に突出するように変形させる。
【発明の効果】
【００１０】
本発明によれば、ブラシ毛材を構成する糸をそれぞれランダムな方向に突出するように変形させたことにより、ブラシ本体によって塗布対象毛を塗布操作したときブラシ毛材の一部の糸が塗布液を塗布した後当該塗布された塗布液を他の糸が拭き取るような動作をさせないようにでき、これにより塗布対象毛に対して塗布液を必要な濃さで一様に塗布することができる。
【発明を実施するための最良の形態】
【００１１】
以下図面について、本発明の一実施の形態を詳述する。
【００１２】
図１（Ａ）において、１は全体として液塗布具を示し、図４のキャップＲ４に挿入固着される円筒状支持部２を閉塞する先端部材２Ａから先方にシャフト３を突出させ、当該シャフト３から周囲外方に多数の糸４Ａでなるブラシ毛材４を突出させることによりブラシ本体５を形成している。
【００１３】
ブラシ本体５は、図２（Ａ）に示すように、１本のステンレス線を折り返すことにより、一対の線材１１Ａ及び１１Ｂを用意し、当該線材１１Ａ及び１１Ｂの間に合成樹脂材料（ナイロン、テトロン、ポリエステル、ＰＰ等）でなる糸４Ａを配設し、この状態で線材１１Ａ及び１１Ｂの折り返し点を固定して両端を矢印ｂで示す方向にねじることにより、図２（Ｂ）に示すように、互いにねじり合わされた線材１１Ａ及び１１Ｂ間に形成されるら旋状保持面１２に多数の糸４Ａを挟着保持してなる毛材４を形成する。
【００１４】
かくしてねじり合わされた線材１１Ａ及び１１Ｂでなるシャフト３に糸４Ａでなるブラシ毛材４を保持した構成の中間ブラシ材料１３が得られ、そのブラシ毛材４の各糸４Ａのシャフト３からの突出方向が、ランダムな方向に突出するように変形加工され、その結果図１（Ａ）のブラシ本体５が得られる。
【００１５】
ここで、ブラシ毛材４の糸４Ａをランダムな方向に突出変形させたことにより、各糸４Ａは、図１（Ｂ）に示すように、シャフト３の先端方向にら旋状に連続するら旋状保持面１２から放射状に外方に整列しながら突出させるのではなく、各糸４Ａごとに放射状に外方に突出するものや、シャフト３の先端方向又は後端方向に傾いて突出するものや、線材１１Ａ及び１１Ｂ間のら旋状保持面１２に沿う方向に傾いて突出するものや、ら旋状保持面１２の延長方向とシャフト３の先端方向又は手元方向との間の方向に延長するものなど、ブラシ毛材４の糸４Ａの倒れ方には特定の法則性を与えないような状態（これをランダムな状態と呼ぶ）に、１本１本別々に突出することになる。
【００１６】
以上の構成の液塗布具１において、ユーザがキャップＲ４（図１）を介して支持部２（図２（Ａ））を指で持って、ブラシ本体５を塗布液容器Ｒ２（図１）から引き出すことにより、ブラシ本体５がしごき部材Ｒ７（図１）によってしごかれることにより、ブラシ毛材４の各糸４Ａに塗布液が付着した状態で液塗布対象のまつ毛に塗布液を塗布する。
【００１７】
このときブラシ毛材４の糸４Ａはシャフト３からランダムな方向に突出するように変形されていることにより、まつ毛に対する１回の塗布動作をしたとき、ブラシ毛材４のうちまつ毛に触れた部分の糸４Ａの塗布液がまつ毛に塗り付けられるだけで当該塗り付け操作を終了させることができる。
【００１８】
因に、ブラシ毛材４が１回の塗布操作をしたときにまつ毛に触れる糸４Ａの順序は、糸４Ａの変形の仕方がランダムであることに基づいてランダムであるので、まつ毛に対する塗布の仕方もランダムであるから、結局塗布操作を繰返したときのまつ毛に対する塗布の仕方は毎回ほぼ一様になる。
【００１９】
仮に、糸４Ａの変形の仕方が、ランダムでなく、一般マスカラブラシのスパイラル状の法則性をもって変形されていれば、ブラシ毛材４が１回の塗布操作をしたときにまつ毛に触れる糸４Ａの順序は、当該法則性に従った順序になるので、１回の塗布操作の間に最初に触れた糸４Ａと次の糸４Ａとの間の溝液で塗布された塗布液が必ず決った法則性によってその後に繰り返し触れる糸４Ａによって拭き取られて少しずつ除去されることになる。
【００２０】
実際には、１回のランダム糸４Ａで平均的に塗り付け操作が終わって次の塗り付け操作をするまでの間に、まつ毛に塗り付けられた塗布液が乾燥することによりまつ毛の表面に平均平滑的しっかりと付着する。
【００２１】
当該付着したまつ毛に次回の塗り付け操作をすると、当該乾燥により付着した塗布液の上にさらに新たな塗布液を平均平滑的に重ねて塗布することになるので、まつ毛にはブラシ本体５の接触回数に応じた濃さの塗布液が付着して行くことになる。
【００２２】
以上の構成によれば、ブラシ本体５のブラシ毛材４をランダムな方向に突出変形させたことにより、１回の塗布操作によってブラシ本体５のブラシ毛材４の糸４Ａがまつ毛に対して一様に塗布動作することにより、まつ毛に対する塗布液の濃さを塗布操作の回数によって決めることができる。
【００２３】
比較構成として、図１との対応部分に同一符号に添え字Ｘを付して示す図３の液塗布具１Ｘは、図２（Ａ）及び（Ｂ）について上述した中間ブラシ材料１３の場合と同様に、ブラシ本体５Ｘとして線材１１ＡＸ及び１１ＢＸ間に当該線材１１ＡＸ及び１１ＢＸをねじり合わせたままの（各糸４Ａをランダムに変形させないままの）構成のブラシ本体５Ｘを用いた場合には、ブラシ毛材４Ｘがら旋状に形成されたら旋状保持面１２Ｘに対してすべてのブラシ毛材４Ｘの各糸４ＡＸが一様に放射状に外方に突出するようにら旋状に配列した構成を有する。
【００２４】
従ってこの構成のブラシ本体５Ｘを塗布液容器Ｒ２（図１）から引き出してまつ毛に塗布液を塗布する操作をしたとき、ら旋状に配列されているブラシ毛材４Ｘの糸４ＡＸのうち、まつ毛に一番近い糸４ＡＸがまつ毛に触れた後、ら旋状に配列されたブラシ毛材４Ｘの糸４ＡＸのうち、その内側のブラシ毛材４Ｘの糸４ＡＸが規則的に同じまつ毛に触れるような状態になる。
【００２５】
このことは１回の塗布操作において、最初に触れたブラシ毛材４Ｘの糸４ＡＸの塗布液がまつ毛に塗り付けられた後、同じまつ毛が、後ろ側に規則的に並んでいる糸４ＡＸに次々と触れて行くことにより、最初にまつ毛に塗り付けられた塗布液がその後に次々と触れるブラシ毛材４Ｘによって拭い取られてゆく結果を生ずる。
【００２６】
これは、最初に触れたブラシ毛材４Ｘの糸４ＡＸからまつ毛に塗布された塗布液が、未だ乾かないうちに、次の糸４ＡＸが次々と触れていくために結果として塗布された液を拭き取ることとなり、塗布液を重ねて塗布することにはならないからである。
【００２７】
これに対して図１の構成のブラシ本体５によれば、１回の操作でまつ毛に触れるブラシ毛材４の糸４Ａの触れ方は、当該ブラシ毛材４がランダムな方向に突出変形されていることにより、一般マスカラねじりブラシの毛部、溝部が交互に常に規則的になることはないから、図４の構成のような拭き取り動作が起こらなくなる。
【００２８】
なお上述の実施の形態においては、ブラシ本体５Ｘの太さが一定のストレート型である場合について述べたが、その外観形状はこれに限らず先細り形状、太鼓型、ひょうたん型、弾丸形等、種々の形状のものを用いても、上述の場合と同様の効果を得ることができる。
【００２９】
また上述の実施の形態においては、本発明をマスカラブラシに適用した場合について述べたが、本発明はこれに限らず、毛染めすべき塗布対象毛など、まつ毛以外の他の塗布対象毛を塗布する場合にも、同じ様にして適用し得る。
【産業上の利用可能性】
【００３０】
本発明は塗布対象毛に塗布液を塗布する場合に利用できるものである。
【図面の簡単な説明】
【００３１】
【図１】（Ａ）及び（Ｂ）は本発明による液塗布具の一実施の形態を示すブラシ本体の構成及びその拡大構成を示す斜視図である。
【図２】（Ａ）及び（Ｂ）は中間ブラシ材料について、毛材を構成する糸の挟み込み及びら旋状保持の説明に供する略線的斜視図である。
【図３】（Ａ）及び（Ｂ）は、比較構成としてのブラシ本体５Ｘについて、ら旋状ブラシ毛材４Ｘ及びその拡大構成を示す斜視図である。
【図４】液塗布具の基本構成の説明に供する斜視図である。
【符号の説明】
【００３２】
１、１Ｘ……液塗布具、２、２Ｘ……支持部、３、３Ｘ……シャフト、４、４Ｘ……ブラシ毛材、５、５Ｘ……ブラシ本体、１１Ａ、１１Ｂ、１１ＡＸ、１１ＢＸ……線材、１２、１２Ｘ……ら旋状保持面、Ｒ１……液塗布具、Ｒ２……塗布液容器、Ｒ３……取出口、Ｒ４……キャップ、Ｒ５……シャフト、Ｒ６……ブラシ本体、Ｒ６Ａ……ブラシ毛材、Ｒ７……しごき部材。
【図１】
2009201818.tif 000003
【図２】
2009201818.tif 000004
【図３】
2009201818.tif 000005
【図４】
2009201818.tif 000006